(57)【要約】【課題】照明機能の有無によりキャビネット本体を別々に設けることを不要にさせ、蛍光灯等の光源部品を交換することを容易にさせることが可能なキャビネットの提供を課題とする。【解決手段】床ＦＬとの間に隙間ＣＬ１を設けて下方を照らすようにしたキャビネット１００に、キャビネット本体１０と、このキャビネット本体の下面１０ａに取付けられる照明ユニット２０とを設けるとともに、照明ユニット２０に、光源部品３５を収容するユニット本体部３０と、キャビネット本体１０外において光源部品３５を交換可能とする位置Ｌ２へユニット本体部３０を移動可能にさせる可動機構部４０とを設ける。【選択図】図６
2008192470.tif 000002
【特許請求の範囲】
【請求項１】
床との間に隙間を設けて下方を照らすようにしたキャビネットであって、
キャビネット本体と、このキャビネット本体の下面に取付けられる照明ユニットとを備え、該照明ユニットは、光源部品を収容するユニット本体部と、前記キャビネット本体外において前記光源部品を交換可能とする位置へ前記ユニット本体部を移動可能にさせる可動機構部とを有することを特徴とするキャビネット。
【請求項２】
前記可動機構部は、前記キャビネット本体の下面に略平行な回転支軸を中心として前記光源部品を交換可能とする下方へ前記ユニット本体部を回動させるように該ユニット本体部を前記キャビネット本体の下面に対して回転動作可能に連結するヒンジ機構を有することを特徴とする請求項１に記載のキャビネット。
【請求項３】
前記可動機構部は、前記キャビネット本体の下面に略垂直な回転支軸を中心として前記光源部品を交換可能とする前方へ前記ユニット本体部を回動させるように該ユニット本体部の左右端部のいずれか一方を前記キャビネット本体の下面に対して回転動作可能に連結するヒンジ機構を有することを特徴とする請求項１に記載のキャビネット。
【請求項４】
前記可動機構部は、前記キャビネット本体の下から前記光源部品を交換可能とする前方へ前記ユニット本体部を引出可能な引出機構を有することを特徴とする請求項１に記載のキャビネット。
【請求項５】
前記ヒンジ機構は、前記キャビネット本体の下面に取付けられるヒンジ台座部と、前記キャビネット本体の下面に略平行な回転支軸を中心として前記光源部品を交換可能とする下方へ前記ユニット本体部を回動させるように該ユニット本体部と前記ヒンジ台座部の下面とに取付けられる丁番とを有することを特徴とする請求項２に記載のキャビネット。
【発明の詳細な説明】
【技術分野】
【０００１】
本発明は、床との間に隙間を設けて下方を照らすようにしたキャビネットに関する。
【背景技術】
【０００２】
従来、キャビネットの下部に照明装置を組み込み、このキャビネット下方の空間を照らすことが行われている。特に、キッチン用のウォールキャビネットにあっては、その下方に設置されるカウンタを照らし調理作業等を補助することを目的として、多用されている。また、リビングボードやサイドボードと呼ばれる収納家具にあっては、間接照明灯や常夜灯としての機能を目的として、キャビネットの下部に照明装置を組み込むことがある。
【０００３】
キャビネットの下部に照明装置を組み込む技術として、比較的高所に取付けられるウォールキャビネットの技術ではあるが、図１２に示す収納キャビネットが知られている（特許文献１，２参照）。なお、同図（ａ）は特許文献１の図４を引用し、同図（ｂ）は特許文献２の図２を引用した。
【０００４】
図１２（ａ）に示すキャビネット１ａは、キャビネット収納部の底板１ｂの下面に照明器具収納部１ｃが形成され、この照明器具収納部内に照明器具１ｄが固定されている。照明器具収納部１ｃの下部には、着脱可能な保護カバー１ｅが設けられている。従って、蛍光灯のような光源部品を交換する際には、保護カバー１ｅを一旦外すことになる。
図１２（ｂ）に示すキャビネット２ａは、上面板２ｂ１と前面板２ｂ２とからなる区画部材２ｂによりキャビネット内が収納室２ｃと照明室２ｄとに区画され、上面板２ｂ１裏面に照明器具２ｅが固設されている。区画部材２ｂは、前側が上方へ押上げられるように回動可能とされている。従って、光源部品を交換する際には、キャビネットを開けて交換作業を行うことになる。
【特許文献１】特開２００３−３７７号公報
【特許文献２】特開平９−１５３３０７号公報
【発明の開示】
【発明が解決しようとする課題】
【０００５】
特許文献１，２記載の技術のように照明装置をキャビネットに組み込むと、照明機能付きキャビネットと照明機能無しキャビネットとを別々に用意しなければならず、キャビネットのコストアップに繋がってしまう。
また、床との間に比較的狭い空間を設けて配置されるキャビネットに特許文献１記載の技術を適用しようとすると、キャビネット下の狭い空間の中で照明器具収納部下部の保護カバーを外して光源部品を交換しなければならず、光源部品の交換が困難である。さらに、同キャビネットに特許文献２記載の技術を適用しようとすると、光源部品を交換する際、キャビネットに収納した物を外へ出してから光源部品を交換し、その後、出した物を収納しなければならない。従って、光源部品の交換作業が煩わしいものとなる。
【０００６】
本発明は、上記課題に鑑みてなされたもので、照明機能の有無によりキャビネット本体を別々に用意することを不要にさせ、蛍光灯等の光源部品を交換することを容易にさせることが可能なキャビネットの提供を目的とする。
【課題を解決するための手段】
【０００７】
上記目的を達成するため、本発明は、床との間に隙間を設けて下方を照らすようにしたキャビネットであって、キャビネット本体と、このキャビネット本体の下面に取付けられる照明ユニットとを備え、該照明ユニットは、光源部品を収容するユニット本体部と、前記キャビネット本体外において前記光源部品を交換可能とする位置（以下、光源交換可能位置とも記載）へ前記ユニット本体部を移動可能にさせる可動機構部とを有することを特徴とする。
【０００８】
以上の構成により、キャビネット本体の下面に照明ユニットを取付けるだけで照明機能無しキャビネットを照明機能付きキャビネットに変更することができるので、照明機能の有無によりキャビネット本体を別々に設ける必要が無くなる。
また、キャビネット本体外においてユニット本体部が光源交換可能位置へ移動可能とされているので、ユニット本体部を光源交換可能位置へ移動させることにより、容易に光源部品を交換することができる。
【０００９】
上記光源交換可能位置は、キャビネット本体外であれば、照明使用時におけるユニット本体部の位置から下方でもよいし、前方でもよい。
なお、上記照明ユニット単体にも発明が存在し、当該発明も上述した作用、効果を奏する。
【発明の効果】
【００１０】
以上説明したように、本発明によれば、照明機能の有無によりキャビネット本体を別々に用意することを不要にさせ、蛍光灯等の光源部品を交換することを容易にさせることが可能なキャビネットを提供することができる。
請求項２に係る発明では、ユニット本体部の後部に連結されたヒンジ機構を中心としてユニット本体部が下方へ回動するので、ユニット本体部の前側が開くことになり、光源部品の交換が容易になる。
請求項３に係る発明では、ユニット本体部の左右端部のいずれか一方に連結されたヒンジ機構を中心としてユニット本体部が前方へ回動するので、ユニット本体部が手前に出され、光源部品の交換が容易になる。
請求項４に係る発明では、ユニット本体部が手前に出されるので、光源部品の交換が容易になる。
請求項５に係る発明では、キャビネット本体下面にヒンジ台座部を取付けることにより丁番の取付けを精度良く行うことができ、ユニット本体部を円滑に回動させることができる。
【発明を実施するための最良の形態】
【００１１】
（１）キャビネットの構成：
図１は、本発明の一実施形態に係るキャビネット１００を示している。本キャビネット１００は、キャビネット本体１０と照明ユニット２０とを有し、床ＦＬとの間に隙間ＣＬ１を設けて下方を照らすようにしてある。図では、キャビネット１００が壁面ＷＡに取付けられていることが示されている。なお、本発明のキャビネットは、リビングボード、サイドボード、キッチン用のウォールキャビネット等として利用可能である。
【００１２】
図２はキャビネット１００を図１のＡ１−Ａ１の位置で断面視して示し、下段に要部を拡大して示している。図３はキャビネット本体１０に照明ユニット２０を取付ける様子を示している。図４と図５はキャビネット本体１０に照明ユニット２０を取付けた様子を示し、図４の下段では着脱式スライド丁番４２を嵌合させる様子を拡大して示し、図５の下段では要部を矢印Ａ２の位置から見て示している。
本実施形態のキャビネット本体１０は複数のユニットから構成され、当該各ユニットでは、キャビネット側板１２，１２の間にキャビネット底板１１、キャビネット背板１４が架け渡されて固定され、前面にキャビネット前板１３が取付けられて、箱体が構成されている。キャビネット本体の隣り合うユニット同士は、対面する側板がねじやナット等などの固定部品で連結されることにより一体化されている。キャビネット本体の材質は、特に限定されず、木質素材、熱可塑性樹脂等の樹脂成形材料、ステンレス等の金属、等とすることができる。
【００１３】
照明ユニット２０は、長手方向を左右に向けて、キャビネット本体１０の下面１０ａに取付けられている。照明ユニット２０は、光源部品３５を収容するユニット本体部３０と、キャビネット本体１０外において光源部品３５を交換可能とする光源交換可能位置（図６のＬ５）へユニット本体部３０を移動可能にさせる可動機構部４０とを少なくとも有する。本照明ユニット２０は、図５に示すように、スイッチボックス５１と端子台５２を有するスイッチユニット５０をさらに備えている。
【００１４】
ユニット本体部３０は、ユニット筐体部３２や光源ユニット本体３４を備える可動部分とされ、左右に向いた回転支軸ＡＸ１を中心として下方へ回動するようにキャビネット本体１０の下側に配置されている。ここで、回転支軸ＡＸ１は、ユニット本体部３０の回動の中心軸であるものとする。また、図６に示すように、キャビネット本体の下面１０ａ近傍で保持されているときのユニット本体部３０の位置を所定の保持位置Ｌ４とし、光源交換可能位置をＬ５とする。さらに、ユニット本体部３０の上下関係を説明する際には、ユニット本体部３０が保持位置Ｌ４にあるときの上下関係で説明することにする。
ユニット筐体部３２は、図３等に示すように、左右側板３２ｂ，３２ｃの間に背板３２ａ、底板３２ｅ架け渡されて固定され、前面に前板３２ｄが取付けられ、前板３２ｄと側板３２ｂ，３２ｃと底板３２ｅとで囲まれた位置に透光板３２ｆが設けられ、前板３２ｄの前面に把手３２ｇが取付けられている。ユニット筐体部３２は、内部に光源ユニット本体３４を収容し、上側の開口部分から光源部品３５を出し入れ可能とされている。
【００１５】
背板３２ａの内側面には、透光板３２ｆの後側縁部を挿入させるための溝３２ａ１が左右方向に向けて形成されている。右側の側板３２ｃには、光源ユニット本体３４とスイッチユニット５０とを繋ぐ電源コード５３を通すためのコード挿通用切欠３２ｃ１が形成されている。なお、保持位置Ｌ４にあるユニット本体部３０の上部から光が漏れることを防止するため、適宜、背板３２ａ、側板３２ｂ，３２ｃ、前板３２ｄの上側縁部にパッキンが取付けられる。
透光板３２ｆには、透明なアクリル樹脂やポリカーボネート等を板状に成形した透明な成形品などを用いることができる。
【００１６】
光を放出する光源部品３５は、蛍光灯、電球、発光ダイオード等、光源ユニット本体３４に対して着脱可能なものであればよく、光源ユニット本体３４に取付けられた状態でユニット本体部３０に収容される。図では、長手方向を左右に向けた蛍光灯がユニット本体部内に収容されていることが示されている。
光源部品３５を着脱可能に取付けるための光源ユニット本体３４は、スイッチユニット５０とともに光源ユニットを構成している。光源ユニット本体３４は、光源部品３５から光を放出させるものであればよく、蛍光管ユニット本体、電球用の照明器具本体、ＬＥＤランプ用の照明器具本体などを用いることができる。
【００１７】
図２に示すように、光源ユニット本体３４は、ユニット本体部３０の中で最も上側となるように前板３２ｄの内側面に取付けられている。光源ユニット本体がユニット本体部の上側に固定されていることにより、掃除機等の物がユニット本体部に接触しても光源部品に加わる衝撃が少なくて済む。
【００１８】
スイッチボックス５１は、図５に示すように、照明のオンオフを切り替える操作を行うためのスイッチ５１ａを有し、キャビネット底板１１にねじ止めされている。スイッチ５１ａには、押しボタン式スイッチ、シーソースイッチ、等を用いることができる。本実施形態ではスイッチを右手で操作することを考慮してスイッチボックスをキャビネット本体の右側の位置に取付けているが、使用環境に応じてキャビネット本体の左側の位置や中央の位置等にスイッチボックスを取付けてもよい。スイッチボックス５１に接続された電源コード５３は、端子台５２や光源ユニット本体３４に接続されている。
端子台５２は、キャビネット底板１１に取付けられたヒンジ台座部４６の下面にねじ止めされている。ＡＣ１００Ｖ等の電源は、スイッチボックス５１、端子台５２を介して光源ユニット本体３４に供給されることになる。
【００１９】
ところで、照明ユニット全体が移動しないようにされていると、キャビネット下の狭い隙間の中で透光板等を外して光源部品を交換しなければならないため、光源部品の交換が困難である。そこで、ユニット本体部３０を保持位置Ｌ４から光源交換可能位置Ｌ５へ往復回動させることを可能にさせる可動機構部４０を照明ユニット２０に設けている。
【００２０】
可動機構部４０は、図２に示すように、丁番４２、ヒンジ台座部４６、ユニット本体部保持機構４８、を備えている。
ヒンジ台座部４６は、細長い矩形板状とされ、長手方向を左右に向けて、ねじ等によりキャビネット本体下面１０ａに取付けられる。ヒンジ台座部４６は、ユニット筐体部３２（特に背板３２ａ）が回動の際にキャビネット本体下面１０ａと干渉しないようにさせる機能を有している。ヒンジ台座部４６の下面には、左右両側にそれぞれ丁番４２のヒンジ座４４が取付けられ、右端部に端子台５２が取付けられる。
【００２１】
ユニット本体部保持機構４８は、ユニット筐体部の前板３２ｄの内側面に取付けられるマグネット本体４８ａ、キャビネット本体下面１０ａに対してねじ等により取付けられる一対の受座台部４８ｃ，４８ｃ、この受座台部の下面に対してねじ等により取付けられるマグネット受座４８ｂ、を備えている。各受座台部４８ｃは、矩形板状とされ、ヒンジ台座部４６の両端部の前側でねじ等によりキャビネット本体下面１０ａに取付けられる。
ユニット本体部３０が保持位置Ｌ４にあるとき、マグネット本体４８ａがマグネット受座４８ｂを吸着することによりユニット本体部３０が保持位置Ｌ４で保持される。
【００２２】
マグネット本体４８ａには、マグネットラッチ（ラッチ式のマグネット）を用いてもよい。すると、より確実にユニット本体部３０が保持位置Ｌ４に保持される。
上記ユニット本体部保持機構にマグネットを利用するとユニット本体部の開閉が容易になる点で好ましいものの、フック等を利用してユニット本体部保持機構を構成してもよい。
【００２３】
丁番４２は、キャビネット本体下面１０ａに略平行な回転支軸ＡＸ１を中心として下方へユニット本体部３０を回動させるようにユニット本体部３０とヒンジ台座部４６の下面とに取付けられている。本実施形態の丁番４２は、図４に示すように、金属製ヒンジ本体４３と金属製ヒンジ座４４とを有し、ヒンジ本体４３とヒンジ座４４とが互いに着脱可能とされている。むろん、丁番には、金属製以外の丁番を用いてもよい。
ヒンジ座４４は、ねじ穴を有し、ヒンジ台座部４６の下面にねじ止めされる。
【００２４】
ヒンジ本体４３は、図示の４箇所の回転支軸部４３ｃ〜４３ｆを回転中心として嵌合部４３ａとねじ止め部４３ｂとが所定の回動範囲内で互いに回動可能に連結されたスライド丁番とされている。ねじ止め部４３ｂは、ねじ穴を有し、ユニット筐体部の背板３２ａの内側面にねじ止めされる。嵌合部４３ａは、ヒンジ座４４の一端（図４の右端部）に挿入して掛止する基部側掛止部４３ｉ、ヒンジ座４４の他端側（図４の左端側）にある掛止用穴４４ａに挿入してヒンジ座に掛止する先端側掛止部４３ｊ、この先端側掛止部をねじ止め部４３ｂ側へ移動させる押圧操作部４３ｋ、を備えている。押圧操作部４３ｋは、嵌合部４３ａ内に設けられたばねにより左側に向けて付勢されている。従って、基部側掛止部４３ｉをヒンジ座４４の一端に掛止させてヒンジ本体４３をヒンジ座４４に向けて押すと、押圧操作部４３ｋが掛止用穴４４ａの縁部を乗り越えてヒンジ座４４に掛止し、ヒンジ本体４３がヒンジ座４４に取付けられる。また、押圧操作部４３ｋを押圧操作し、ヒンジ座４４から押圧操作部４３ｋを外すと、ヒンジ本体４３がヒンジ座４４から取り外される。
【００２５】
また、左側の板状部材４３ｇが両側縁部で回転支軸部４３ｃ，４３ｄをそれぞれ軸支し、右側の板状部材４３ｈが両側縁部で回転支軸部４３ｅ，４３ｆをそれぞれ軸支している。これにより、ねじ止め部４３ｂを取付けた背板３２ａは、保持位置Ｌ４から光源交換可能位置Ｌ５へ移動する際に嵌合部４３ａから離れるようにスライドしながら回動する。
ここで、回転支軸部４３ｃ〜４３ｆがキャビネット底板の下面１０ａと略平行な左右方向に向けて配置されているので、ユニット本体部３０の回動中心となる回転支軸ＡＸ１の向きは、図４に示すように、キャビネット本体下面１０ａと略平行な左右方向となる。なお、嵌合部４３ａに対してねじ止め部４３ｂがスライドしながら回転動作するので、回転支軸ＡＸ１はユニット本体部３０の回動位置に応じてスライドする。
【００２６】
以上より、丁番４２とヒンジ台座部４６は、ユニット本体部３０をキャビネット本体下面１０ａに対して回転動作可能に連結するヒンジ機構を構成し、上記回転支軸ＡＸ１を中心として光源部品３５を交換可能とする下方へユニット本体部３０を回動させる。なお、回転支軸ＡＸ１には、ユニット本体部の回動位置にかかわらず位置が固定された支軸が含まれるとともに、本実施形態のようにユニット本体部の回動位置に応じてスライドする支軸も含まれる。むろん、ヒンジ機構の軸支部分となる回転支軸部は、ヒンジ機構に１箇所だけ設けられてもよいし、本実施形態のようにヒンジ機構に複数箇所設けられてもよい。
【００２７】
なお、上述したヒンジ台座部４６、受座台部４８ｃ、透光板３２ｆを除くユニット筐体部の各部３２ａ〜３２ｅの材質は、特に限定されず、木質素材、熱可塑性樹脂等の樹脂成形材料、等とすることができる。
【００２８】
以上の構成を有する照明ユニット２０は、例えば、以下のようにして形成され、キャビネット本体下面１０ａに取付けられる。
まず、家庭等の現場に納入する前に、ユニット筐体部３２を形成し、背板３２ａの内側面の左右両側にそれぞれヒンジ本体４３を取付け、前板３２ｄの内側面に光源ユニット本体３４を取付けるとともにマグネット本体４８ａを２箇所に取付けておく。また、ヒンジ台座部４６に端子台５２を取付けるとともにヒンジ座４４を２箇所に取付け、各受座台部４８ｃ，４８ｃにマグネット受座４８ｂを取付けておく。
【００２９】
現場では、図３に示すように、キャビネット本体下面１０ａにおける所定の取付位置Ｌ１にヒンジ台座部４６を取付け、所定の取付位置Ｌ２，Ｌ３に受座台部４８ｃ，４８ｃを取付ける。次に、図４に示すように、ヒンジ座４４，４４にヒンジ本体４３，４３を嵌合させ、ヒンジ台座部４６にユニット本体部３０を取付ける。そして、光源ユニットの電源コード５３を所定の位置に収容し、ユニット本体部３０を保持位置Ｌ４に配置させ、キャビネット底板１１にスイッチボックス５１を取付けると、照明ユニット２０が形成される。
【００３０】
ここで、ヒンジ台座部４６を用いず、キャビネット本体下面に直接丁番を取付けてユニット本体部を回動可能に支持してもよい。ただし、現場でキャビネット本体に照明ユニットを取付ける際、左右の丁番が若干前後にずれてキャビネット本体に取付けられたり、左右のヒンジ座の間隔が左右のヒンジ本体の間隔と若干ずれたりして、ユニット本体部の回動が円滑でなくなったり、ユニット本体部の取付けが容易でなくなったりする可能性がある。本キャビネット１００では、設計された間隔でヒンジ本体４３がユニット筐体部の背板３２ａに予め取付けられ、設計された間隔でヒンジ座４４がヒンジ台座部４６に予め取付けられているので、現場の作業時にヒンジ本体部の間隔に対するヒンジ座の間隔のずれが生じない。また、ヒンジ台座部４６が細長い矩形板状とされているので、ヒンジ台座部４６をキャビネット本体下面１０ａに取付ける際に前後の位置合わせを容易に行うことができ、左右丁番の前後方向のずれが抑止される。従って、丁番の取付けを精度良く行うことができ、ユニット本体部を円滑に回動させることができる。
【００３１】
また、受座台部４８ｃを用いず、キャビネット本体下面に直接マグネット受座を取付けてマグネット本体に吸着させてもよい。ただし、現場ではマグネット受座の取付位置がずれる可能性がある。本キャビネット１００では、設計された寸法の受座台部４８ｃをヒンジ台座部４６に当接させてキャビネット本体下面に取付けることができるので、マグネット受座の位置ずれが抑止される。
【００３２】
（２）キャビネットの作用、効果：
以下、本キャビネットの作用、効果を説明する。
本キャビネット１００は照明ユニット２０がキャビネット本体１０の下面に取付けられて構成されるので、照明機能無しキャビネットを設置する場合にはキャビネット本体だけをキャビネットとして設置すればよい。これにより、照明機能付きキャビネットと照明機能無しキャビネットとでキャビネット本体を共通化させることができ、キャビネットを低コスト化させることができる。
【００３３】
また、光源部品３５を交換する際、ユニット本体部の把手３２ｇを下へ引くと、ユニット本体部３０の後部に連結されたスライド丁番４２を中心としてユニット本体部３０が下方へ回動する。すると、図６に示すように、キャビネット本体１０外においてユニット本体部３０が保持位置Ｌ４から光源交換可能位置Ｌ５へ移動し、ユニット本体部３０の開口部分が前側を向く。従って、キャビネット下の狭い隙間ＣＬ１の中でも、蛍光灯等の光源部品３５を容易に交換することができる。その際、キャビネット本体内に照明ユニットを入れた場合のように光源部品の交換時にキャビネットの収納物を出し入れする煩わしさが無い。
光源部品を交換した後は、把手３２ｇを持ち上げるようにすると、ユニット本体部３０が光源交換可能位置Ｌ５から保持位置Ｌ４へ回動して戻る。
【００３４】
なお、着脱式スライド丁番４２のヒンジ本体４３をヒンジ座４４から外せば、ユニット本体部３０を手前の位置Ｌ６まで引き出すことにより、容易に光源部品を交換することができる。
以上説明したように、本キャビネットによると、照明機能の有無によりキャビネット本体を別々に設けることが不要になり、光源部品の交換が容易になる。
【００３５】
（３）変形例：
本発明のキャビネットは、種々の変形例が考えられる。
本発明を適用可能なキャビネットには、図７に示すように、単独で床ＦＬ上に自立し、高くしたキャビネット底板１０１ｃの下方に比較的狭い空間を設けたキャビネット１０１も含まれる。本キャビネット１０１は、左右側板１０１ａ，１０１ｂの間に底板１０１ｃや天板等が架け渡されて固定されて、底板１０１ｃの下面に照明ユニット２０が取付けられて、下方を照らすようにしている。本キャビネット１０１によっても、上述した作用、効果が得られる。
【００３６】
上記ユニット本体部は、別体とされた光源ユニット本体をユニット筐体部に取付けたもの以外にも、ユニット筐体部に光源ユニット本体の機能が組み込まれたものでもよい。
【００３７】
上記ユニット本体部は、後部がヒンジ機構でキャビネット本体下面に連結されると開口部分が前側となるので好適であるものの、前部がヒンジ機構でキャビネット本体下面に連結されてもよい。図８は、このような変形例のキャビネット２００を垂直断面図により示している。本キャビネット２００の照明ユニット１２０は、概略、図２に示した照明ユニット２０と前後逆にした構造とされ、キャビネット本体１０の下面に取付けられている。照明ユニット１２０は、ユニット本体部１３０と、キャビネット本体外において光源交換可能位置Ｌ１２へユニット本体部１３０を移動可能にさせる可動機構部１４０とを有している。ユニット筐体部１３２は、背板１３２ａ、前板１３２ｄ、底板１３２ｅ、透光板１３２ｆ、把手１３２ｇ等を有し、前板１３２ｄの内側面に着脱式スライド丁番１４２のヒンジ本体が取付けられている。透光板１３２ｆは、ユニット筐体部１３２から着脱可能とされている。キャビネット本体下面１０ａに取付けられたヒンジ台座部１４６の下面には、丁番１４２のヒンジ座が取付けられている。
【００３８】
ヒンジ機構１４２，１４６は、ユニット本体部１３０の前部をキャビネット本体下面１０ａに対して回転動作可能に連結し、同下面１０ａに略平行な回転支軸ＡＸ２を中心としてユニット本体部１３０を保持位置Ｌ１１から光源交換可能位置Ｌ１２へ回動させる。すると、ユニット本体部１３０が下方かつ前方へ移動するので、ユニット筐体部１３２から透光板１３２ｆを外せば、キャビネット下の狭い隙間の中でも、光源部品を容易に交換することができる。
【００３９】
また、図９と図１０に示すウォールキャビネット３００のように、キャビネット本体下面１０ａに略垂直な回転支軸ＡＸ３を中心としてユニット本体部２３０を回動させるようにしてもよい。キャビネット本体下面１０ａに取付けられる照明ユニット２２０は、ユニット本体部２３０とともに、キャビネット本体外において光源交換可能位置Ｌ２２へユニット本体部２３０を移動可能にさせる可動機構部２４０を有している。ユニット筐体部は、背板２３２ａ、側板２３２ｂ，２３２ｃ、前板２３２ｄ、底板２３２ｅ、透光板２３２ｆ、把手２３２ｇを有し、右側の側板２３２ｂの外側面における前側にピボットヒンジの外嵌部２４３が取付けられ、背板２３２ａの外側面の右側縁部にマグネット受座２４８ｂが取付けられている。キャビネット本体下面１０ａには、右側にピボットヒンジの軸部２４４が取付けられ、左側にマグネット本体２４８ａが取付けられている。
【００４０】
ピボットヒンジ（第二のヒンジ機構）２４３，２４４は、ユニット本体部２３０の右端部をキャビネット本体下面１０ａに対して回転動作可能に連結し、同下面１０ａに略垂直な回転支軸ＡＸ３を中心としてユニット本体部２３０を保持位置Ｌ２１から光源交換可能位置Ｌ２２へ回動させる。すると、ユニット本体部２３０が前方へ回動するので、ユニット本体部が手前に出され、光源部品２３５の交換が容易になる。
なお、図９の最下段に示すように、ピボットヒンジは、使用環境等に応じてユニット本体部の左端部に設けられてもよい。また、ピボットヒンジは、本変形例のようにユニット本体部の前側に設けられる他、ユニット本体部の後側、ユニット本体部の側板の中央部、等に設けられてもよい。
【００４１】
さらに、図１１に示すウォールキャビネット４００のように、ユニット本体部３３０を引出可能としてもよい。キャビネット本体下面１０ａに取付けられる照明ユニット３２０は、ユニット本体部３３０とともに、キャビネット本体外において収容位置Ｌ３１から光源交換可能位置Ｌ３２へユニット本体部３３０を移動可能にさせる可動機構部３４０を有している。ユニット筐体部は、側板３３２ｂ，３３２ｃ、前板３３２ｄ、透光板３３２ｆ、把手３３２ｇ等を有し、左右側板３３２ｂ，３３２ｃの外側面にスライドレール３４２，３４２の先端側が取付けられている。キャビネット本体下面１０ａには左右側板３３２ｂ，３３２ｃの外側でレール台座３４６，３４６が下方へ延出するように取付けられ、これらのレール台座３４６，３４６の内側面にスライドレール３４２，３４２の基部側が取付けられている。従って、スライドレール３４２とレール台座３４６とは、キャビネット本体１０の下から光源部品３３５を交換可能とする前方へユニット本体部３３０を引出可能な引出機構を構成している。
以上より、ユニット本体部３３０がスライドレール３４２，３４２により手前に出されるので、光源部品３３５の交換が容易になる。
【００４２】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００４３】
【図１】照明ユニットを取付けたキャビネットの例を示す正面図。
【図２】図１に示すキャビネットを同図のＡ１−Ａ１の位置で断面視して示す垂直断面図。
【図３】キャビネット本体に照明ユニットを取付ける一例を示す分解斜視図。
【図４】キャビネット本体に照明ユニットを取付けた様子を示す斜視図。
【図５】キャビネット本体に照明ユニットを取付けた様子を示す斜視図。
【図６】本キャビネットの作用を説明する側面図。
【図７】キャビネットの変形例を示す斜視図及び垂直断面図。
【図８】キャビネットの変形例を示す垂直断面図。
【図９】キャビネットの変形例を示す斜視図。
【図１０】図８に示すキャビネットを下側から見て示す斜視図。
【図１１】キャビネットの変形例を示す斜視図。
【図１２】比較的高所に取付けられるキャビネットの従来例を示す垂直断面図。
【符号の説明】
【００４４】
１０…キャビネット本体、１０ａ…下面、１１…キャビネット底板、
２０，１２０，２２０，３２０…照明ユニット、
３０，１３０，２３０，３３０…ユニット本体部、
３２…ユニット筐体部、
３２ａ…背板、３２ｂ，３２ｃ…側板、３２ｄ…前板、３２ｅ…底板、３２ｆ…透光板、
３４…光源ユニット本体、３５…光源部品、
４０，１４０，２４０，３４０…可動機構部、
４２…丁番、４３…ヒンジ本体、４３ｃ〜４３ｆ…回転支軸部、４４…ヒンジ座、
４６…ヒンジ台座部、
４８…ユニット本体部保持機構、
４８ａ…マグネット本体、４８ｂ…マグネット受座、４８ｃ…受座台部、
５０…スイッチユニット、５１…スイッチボックス、５２…端子台、
１００，２００，３００，４００…キャビネット、
２４３，２４４…ピボットヒンジ（第二のヒンジ機構）、
３４２…スライドレール、３４６…レール台座、
ＡＸ１〜ＡＸ３…回転支軸、ＣＬ１…隙間、
Ｌ１〜Ｌ３…取付位置、Ｌ４…保持位置、Ｌ５…光源交換可能位置、
【図１】
2008192470.tif 000003
【図２】
2008192470.tif 000004
【図３】
2008192470.tif 000005
【図４】
2008192470.tif 000006
【図５】
2008192470.tif 000007
【図６】
2008192470.tif 000008
【図７】
2008192470.tif 000009
【図８】
2008192470.tif 000010
【図９】
2008192470.tif 000011
【図１０】
2008192470.tif 000012
【図１１】
2008192470.tif 000013
【図１２】
2008192470.tif 000014